(57)【特許請求の範囲】
【請求項１】
平面三角形の筒体に折り曲げられている表示板体と、この表示板体の突き合わせられている一方の側辺部と他方の側辺部とを結合する結合手段とを具備しており、
上記表示板体は、平板状に展開されている状態で、間隔を置いて対向配置されている折り曲げ部を形成し、両折り曲げ部の対向間に中央の表示部を、各折り曲げ部を挟んで上記中央の表示部とは反対側である外側にそれぞれ外側の表示部を設けてあり、上記各表紙部が上記折り曲げ部を中心として裏側に折り曲げ可能であり、
上記各表示部は表裏一対の透明板と、対の透明板間に差し入れられている表示板とからなり、
上記中央の表示部における表側の透明板の両側端は上記各折り曲げ部に接続されていると共に、上記一対の透明板間は上記表示板が挿脱可能な収納部となっており、この収納部の上記各外側の表示部側の両側端が開口部となっており、
上記各外側の表示部における表側の透明板の一側端は隣接している上記折り曲げ部に接続されていると共に、上記一対の透明板間は上記表示板が挿脱可能な収納部となっており、各収納部の上記中央の表示部側の側端がそれぞれ開口部となっており、
上記表示板体の一方の側辺部である上記一方の外側の表示部の側辺部の上下の隅部には各隅部を保護するための一方の保護金具を取り付けてあり、他方の側辺部である上記他方の外側の表示部の側辺部の上下の隅部には各隅部を保護するための他方の保護金具を取り付けてあり、
上記結合手段は、上記一方の外側の表示部の側辺部の上下隅部に設けてあって上記一方の各保護金具によって被覆されている磁石と、上記磁石に吸着可能である吸着体からなる他方の保護金具とからなる
ことを特徴とする表示スタンド。
【請求項２】
表示板はメニュー用紙からなることを特徴とする請求項１記載の表示スタンド。
【請求項３】
表示板体の外周辺全周は縁取り布によって縁取りされ、中央の表示部の透明板間の上下両端、各外側の表示部の透明板間の上下両端及び上記中央の折り曲げ部側とは反対側の側端がいずれも上記縁取り布に接続されかつ封止されていることを特徴とする請求項１又は請求項２記載の表示スタンド。
【発明の詳細な説明】
【０００１】
【発明の属する技術分野】
この発明は、メニューや広告などに利用できるメニュー用表示スタンドに関する。
【０００２】
【従来の技術】
従来、例えばレストラン、喫茶店、居酒屋、食堂等では、メニュー表示体として平板状のもの、折り畳み形式のもの、ブック形式のもの又はＴ字形のメニュー用表示スタンドなどが提案されている。来客者はこの種のメニュー表示体を見ながら希望する品名などを注文することは周知のとおりである。
【０００３】
【発明が解決しようとする課題】
従来例によると、メニュー表示体はそれ自体特徴があるものの、利便性の向上や商品価値を高めてメニュー表示体の販売促進を図るためには更なる改良が要求されていた。
この発明の目的は、利便性があって商品価値を高めることにある。
【０００４】
【課題を解決するための手段】
この発明の第１の特徴は、平面三角形の筒体に折り曲げられている表示板体と、この表示板体の突き合わせられている一方の側辺部と他方の側辺部とを結合する結合手段とを具備していることにある。上記表示板体は、平板状に展開されている状態で、間隔を置いて対向配置されている折り曲げ部を形成し、両折り曲げ部の対向間に中央の表示部を、各折り曲げ部を挟んで上記中央の表示部とは反対側である外側にそれぞれ外側の表示部を設けてあり、上記各表紙部が上記折り曲げ部を中心として裏側に折り曲げ可能である。上記各表示部は表裏一対の透明板と、対の透明板間に差し入れられている表示板とからなる。上記中央の表示部における表側の透明板の両側端は上記各折り曲げ部に接続されていると共に、上記一対の透明板間は上記表示板が挿脱可能な収納部となっており、この収納部の上記各外側の表示部側の両側端が開口部となっている。上記各外側の表示部における表側の透明板の一側端は隣接している上記折り曲げ部に接続されていると共に、上記一対の透明板間は上記表示板が挿脱可能な収納部となっており、各収納部の上記中央の表示部側の側端がそれぞれ開口部となっている。上記表示板体の一方の側辺部である上記一方の外側の表示部の側辺部の上下の隅部には各隅部を保護するための一方の保護金具を取り付けてあり、他方の側辺部である上記他方の外側の表示部の側辺部の上下の隅部には各隅部を保護するための他方の保護金具を取り付けてある。上記結合手段は、上記一方の外側の表示部の側辺部の上下隅部に設けてあって上記一方の各保護金具によって被覆されている磁石と、上記磁石に吸着可能である吸着体からなる他方の保護金具とからなる。
この発明の第２の特徴は、上記第１の特徴を前提としており、表示板がメニュー用紙からなることにある。
この発明の第３の特徴は、上記第１又は第２の特徴を前提としており、表示板体の外周辺全周が縁取り布によって縁取りされ、中央の表示部の透明板間の上下両端、各外側の表示部の透明板間の上下両端及び上記中央の折り曲げ部側とは反対側の側端がいずれも上記縁取り布に接続されかつ封止されていることにある。
【０００５】
【作用】
使用場所や目的用途に応じて表示板体を筒体から平板状にしたり、折り畳んで使用する。表示板体が筒体の状態にある場合には、突き合わされる側辺部は結合手段によって結合されて、筒体の形態が維持される。結合手段として磁石の磁気力を利用するものであるので、側辺部の結合又は分離が簡単に行える。
【０００６】
【発明の実施の形態】
この発明に係る表示スタンドについて、メニュー用表示スタンドを例にして図面を参照して説明する。
図１乃至図３に示すメニュー用表示スタンドは本体を構成している表示板体１と結合手段２とを備えている。
表示板体１は三角形状の筒体に折り曲げられており、展開状態では図２及び図３に示すように平板状になったり、また図８に示すように中央部を中心として三つ折り可能なものである。表示板体１は展開状態では図示するように、横長長方形状に形成されており、その大きさは適宜であるが、例えば横約４００ｍｍ、縦約１６６ｍｍの大きさに設定されている。表示板体１の外周部は樹脂製の縁取り布１０，１０ａによって縁取りされ、四隅はＬ形の保護金具９によって保護補強されている。表示板体１は筒体に組み立てられている状態では、側辺部１ａ，１ｂ同士が突き合わされている。表示板体１には間隔を置いて折り曲げ部３ａ，３ｂが設けられており、これらの折り曲げ部を境界として、図２左右両側に表裏一対の表示部４ａ，４ｂ，４ｃが設けられている。折り曲げ部３ａは、その長さ方向の両端部が縁取り布１０に接続されている（図６）。同様に、折り曲げ部３ｂもその長さ方向の両端部が縁取り布１０に接続されている。表示板体１の表裏には、図２の例では左側から右側に向けて並んで表示部４ａ、表示部４ｂ及び表示部４ｃが設けられている。来客者などは各表示部４ａ，４ｂ，４ｃに表示されているメニュー項目などの情報を知ることができる。表示部４ａ，４ｂ，４ｃは、それぞれ表裏一対の透明板５ａ，５ａ１、５ｂ，５ｂ１、５ｃ，５ｃ１と、対の透明板間に挟まれている表示板であるメニュー用紙６ａ，６ｂ，６ｃとからなる。透明板５ａ，５ａ１、５ｂ，５ｂ１、５ｃ，５ｃ１は、いずれも可撓性を備えた樹脂板からなる。
透明板５ａ，５ａ１、透明板５ｂ，５ｂ１及び透明板５ｃ，５ｃ１の取り付け状態について説明する。
透明板５ａ，５ａ１は、図２乃至図４に示すように、図２上下両端及び左側端が縁取り布１０，１０ａにそれぞれ接続され、一方の透明板５ａの図２右端側は折り曲げ部３ａに接続され、他方の透明板５ａ１の図３左端側は開放されている。透明板５ａ１の開放側の端辺部は樹脂製の縁取り布１１ｃで縁取られている。このため、透明板５ａ，５ａ１間に、透明板５ｂ，５ｂ１側のみが開口部７ｃ１となっている空間が形成され、この空間がメニュー用紙６ａの収納部７ｃである。
図２及び図３に示すように、中央に位置している表示部４ｂにおける透明板５ｂ，５ｂ１は、図上下両端が縁取り布１０にそれぞれ接続され、一方の透明板５ｂの両側端は折り曲げ部３ａ，３ｂに接続され、他方の透明板５ｂ１の両側端側は開放されている。図３及び図５に示すように透明板５ｂ１の左右両側端部は樹脂製の縁取り布１１ｂによって縁取られている。このため、透明板５ｂ，５ｂ１間は、両側端が開口部７ｂ１となっているメニュー用紙６ｂのための収納部７ｂとなっている。
表示部４ｃにおける透明板５ｃ，５ｃ１の取り付け状態は、表示部４ａにおける透明板５ａ，５ａ１と同様である。透明板５ｃ，５ｃ１は、透明板５ｂ１側のみが開口部７ａ１であるメニュー用紙６ｃの収納部７ａとなっている（図４）。透明板５ｃ１では、透明板５ｂ１における開口部７ａ１側の端部が樹脂製の縁取り布１１ａによって縁取られている（図３）。
収納部７ａ，７ｃには片側の開口部７ａ１，７ｃ１からメニュー用紙６ａ，６ｃを差し入れることができる。メニュー用紙６ａ，６ｂ，６ｃはいずれも表裏両面に同一の情報であるメニュー項目が印刷されている。このために、表示板体１は、表裏両側が同一のメニュー情報が表示される。
結合手段２について図１乃至図３、図７を参照して説明する。
結合手段２は磁石８と、この磁石にその磁気力によって吸着される鋼製の吸着体である上記保護金具９とからなる。磁石８は円板状のものであり、図１に示すように表示板体１の突き合わされている両側辺部１ａ，１ｂのうち、一方の側辺部１ａにおける上下隅部、すなわち図２に示す表示板体１における右側辺部１ａの上下両隅部にそれぞれ埋め込まれている。埋め込まれている磁石８は、その表裏両側から保護金具９によってその固定状態が補強されている。保護金具９は、図１に示すように表示板体１の突き合わされている両側辺部１ａ，１ｂのうち、左方の側辺部１ａに位置している上下隅部における保護金具が磁石８と磁気的に結合し、その磁気力によって、表示板体の両側辺部１ａ，１ｂの接合状態が維持され、表示板体の形態である筒体が安定して保持される。
【０００７】
次に使用方法を説明する。
本来のメニュー用表示スタンドとして使用する場合について説明する。
この場合には、図３に示す表示板体１の左右両側辺部１ａ，１ｂを紙面上方に持ち上げて、折り曲げ部３ａ，３ｂを中心として紙面上方側に折り曲げながら起立させ、左右両側辺部１ａ，１ｂを合わせれば、一方の側辺部１ａ側の上下端に位置している磁石８の磁気力が他方の側辺部１ｂ側の保護金具９を吸引して、突き合わされている側辺部同士が結合され、図１に示すような角筒体のメニュー用表示スタンドが組み立てられ、表示板体１における表側の各表示部４ａ，４ｂ，４ｃが外側に表示される。筒体となったメニュー用表示スタンドを卓上に立てて使用するのである。
この結果、メニューが起立状態で表示されているので、来客者の注目度が高くなり、各表示部４ａ，４ｂ，４ｃに表示されたメニュー項目が見やすい。メニュー項目を詳細に見たい場合には筒体となっているメニュー用表示スタンドの突き合わせられている側辺部１ａ，１ｂを結合手段２における磁気的結合力に抗して分離し、左右に開放すれば、メニュー用表示スタンドは展開されて平板状となる。こうすれば、一度にメニュー項目の全てを読み取ることができる。
メニュー用表示スタンドを折り畳んで使用する場合について説明する。
この場合には、卓上に図８に示す状態にメニュー用表示スタンドを折り畳んでおき、必要に応じてこれを開いてメニュー項目を見るのである。この場合には、メニュー用表示スタンドを積み重ねて保管でき、保管場所のスペース効率の向上を図ることができる利点がある。
なお、使用法の他の例として、図２及び図３に示すように、メニュー用表示スタンドを平板状に開いておいても良い。
上記のように、メニュー用表示スタンドはその目的や使用場所などに対応した形態を選択して使用できるので、便利であると共に商品価値が高められる。
【０００８】
磁石８や吸着体９の形状は図示する円板状に限定されない。上記吸着体９は保護金具で兼用させて構成を簡単にしている。
結合手段に関し、参考例として、例えば図９に示す結合手段２Ａは、いずれも帯状の磁石８Ａと磁性体からなる吸着体９Ａとからなる。磁石８Ａは表示板体１の側辺部１ａに埋め込まれており、吸着体９Ａは側辺部１ｂに埋め込まれており、両者は相互に磁気的に結合可能である。表示板体１の側辺部１ａ，１ｂは磁石８Ａと吸着体９Ａとの磁気的結合を通じて互いに接合可能となる。
図１０に示す結合手段２Ｂは、磁石８Ｂと磁性体からなる吸着体９Ｂとからなり、両者は表示板体１の両側辺部１ａ，１ｂのほぼ中央に配置されている。磁石８Ｂ及び吸着体９Ｂは円板状に形成されている。図示する表示板体１の構成は結合手段２Ｂを除いて同一であり、このため構成部分を示す符号を図１の表示板体１の符号と一致させている。
さらに、結合手段の他の参考例を図１１乃至図１４に基づいて説明する。
図１１に示す結合手段２Ｃは、面ファスナーで形成されている結合片８Ｃと結合片９Ｃとからなり、双方の結合片を接続又は離反することにより、表示板体１の両側辺部１ａ，１ｂが開閉可能に結合される。
図１２に示す結合手段２Ｄは、紐付きフックからなる結合体８Ｄ，９Ｄからなり、一方の結合体の紐を他方の結合体に掛け回すことにより、表示板体１の突き合わせ両側辺部１ａ，１ｂが開閉可能に結合される。
図１３に示す結合手段２Ｅは、被掛け止めを備えた結合片８Ｅと上記被掛け止めを掛け止めるホック９Ｅとからなり、結合片をホックに掛け止めることにより、表示板体１の突き合わせ両側辺部１ａ，１ｂが開閉可能に結合される。
図１４に示す結合手段２Ｆは、紐付きフック８Ｆと環体９Ｆとからなり、フックを環体内に差し入れることにより、表示板体１の突き合わせ両側辺部１ａ，１ｂが開閉可能に結合される。
表示スタンドは、上述したメニュー用表示スタンドに限定されるものでないことは当然である。表示板６ａ〜６ｃの表示情報を目的に応じた内容とすることにより、種々の表示スタンドに利用できる。例えば広告用表示スタンドとして利用する場合には、表示板６ａ〜６ｃに広告宣伝用の図柄や文などを表示したものを各収納部７ａ〜７ｃ内に差し入れる。また表示部４ａ〜４ｃは表示板体１の表側（図２）及び裏側（図３）の両面側に設けたが、表裏いずれか一面側のみに設けても良い。この場合には、表示部側のみを表示板の情報が見えるような構成とする必要がある。表示部４ａ〜４ｃに関して図示の例では表示板６ａ〜６ｃと透明板５ａ〜５ｃ，５ａ１〜５ｃ１で構成し、表示板を必要に応じて交換可能にして情報の変更に対応できるようにして利便性を図っている。
また、収納部を備えている表示部は複数に分割（図示する例では３分割）している。
【０００９】
【発明の効果】
この発明によれば、卓上などに立てて使用できるので、表示されている情報が見やすく、注目度を高めることができ、商品の販売促進に役立つ。
この発明によれば、使用場所、用途目的に応じて多様な形態をとることができるので、使用や運搬保管に便利であると共に、単一形態に固定されるものと比較して商品の差別化ができ、このため商品価値を高めることができる。メニュー用表示スタンドとして利用すれば、上記効果がより一層高められる。
【図面の簡単な説明】
【図１】  この発明に係るメニュー用表示スタンドを示す一部切欠斜視図である。
【図２】  この発明に係るメニュー用表示スタンドを展開した表面側の平面図であって、表示板体の隅部を一部切欠して示している部分拡大図である。
【図３】  この発明に係るメニュー用表示スタンドを展開した裏側の平面図であって、表示板体の表示部を一部切欠して示している図である。
【図４】  図３ＩＶ-ＩＶ線拡大端面図である。
【図５】  図３Ｖ-Ｖ線端面図である。
【図６】  図３ＶＩ-ＶＩ線端面図である。
【図７】  図２ＶＩＩ−ＶＩＩ線拡大断面図である。
【図８】  この発明に係るメニュー用表示スタンドを折り畳んだ状態を示す底面図である。
【図９】  この発明に係るメニュー用表示スタンドにおける結合手段の参考例を平面的に示す図である。
【図１０】  この発明に係るメニュー用表示スタンドにおける結合手段の他の参考例を示す斜視図である。
【図１１】  この発明に係るメニュー用表示スタンドにおける結合手段の他の参考例を平面的に示す図である。
【図１２】  この発明に係るメニュー用表示スタンドにおける結合手段のさらに他の参考例を平面的に示す図である。
【図１３】  この発明に係るメニュー用表示スタンドにおける結合手段のさらに他の参考例を平面的に示す図である。
【図１４】  この発明に係るメニュー用表示スタンドにおける結合手段のさらに他の参考例を平面的に示す図である。
【符号の説明】
１                                          表示板体
１ａ，１ｂ                                  側辺部
２                                          結合手段
３ａ，３ｂ                                  折り曲げ部
４ａ，４ｃ                                  表示部（外側の表示部）
４ｂ                                        表示部（中央の表示部）
５ａ，５ａ１，５ｂ，５ｂ１，５ｃ，５ｃ１    透明板
６ａ，６ｂ，６ｃ                            メニュー用紙（表示板）
７ａ，７ｂ，７ｃ                            収納部
７ａ１，７ｂ１，７ｃ１ 開口部
８                                          磁石
９                                          保護金具
１０，１０ａ 縁取り布
【図１】
0004643849.tif 000002
【図２】
0004643849.tif 000003
【図３】
0004643849.tif 000004
【図４】
0004643849.tif 000005
【図５】
0004643849.tif 000006
【図６】
0004643849.tif 000007
【図７】
0004643849.tif 000008
【図８】
0004643849.tif 000009
【図９】
0004643849.tif 000010
【図１０】
0004643849.tif 000011
【図１１】
0004643849.tif 000012
【図１２】
0004643849.tif 000013
【図１３】
0004643849.tif 000014
【図１４】
0004643849.tif 000015